(57)【要約】      （修正有）【課題】適正なスケールで見やすい情報を表示できる表示コントローラ、および、蓄電システムを提供する。【解決手段】表示コントローラ１２は、蓄電システムの運転状況を表示装置に表示するものであって、表示設定部と表示制御部とを有する。表示設定部は、蓄電システムが接続される系統１６に対する契約電力が設定された場合、設定された契約電力に応じて表示装置に表示する情報に対するスケールを設定する。表示制御部は、表示設定部により設定されたスケールで運転状況を示す情報を表示装置に表示する。【選択図】図１
2017175679.tif 000002
【特許請求の範囲】
【請求項１】
蓄電システムの運転状況を表示装置に表示する表示コントローラにおいて、
前記蓄電システムが接続される系統に対する契約電力が設定された場合、設定された契約電力に応じて前記表示装置に表示する情報に対するスケールを設定する表示設定部と、
前記表示設定部により設定されたスケールで運転状況を示す情報を前記表示装置に表示する表示制御部と、
を有する表示コントローラ。
【請求項２】
さらに、契約電力と電力使用量との関係を示す情報を記憶する記憶部と、
前記蓄電システムが接続される系統に対する契約電力が設定された場合、設定された契約電力に対応する電力使用量の想定値を前記記憶部が記憶する契約電力と電力使用量との関係を示す情報に基づいて取得する取得部と、を有し、
前記表示設定部は、前記取得部が取得する電力使用量の想定値に応じて前記表示装置に表示する情報に対するスケールを設定する、
請求項１に記載の表示コントローラ。
【請求項３】
前記表示設定部は、前記表示装置に表示する情報に対するスケールの上限値を設定する、
請求項１又は２の何れかに記載の表示コントローラ。
【請求項４】
前記表示設定部は、前記表示装置に表示する情報に対するスケールの下限値を設定する、
請求項１乃至３の何れか１項に記載の表示コントローラ。
【請求項５】
前記表示設定部は、前記表示装置に表示する情報としての消費電力量に対するスケールを設定する、
請求項１乃至４の何れか１項に記載の表示コントローラ。
【請求項６】
前記表示設定部は、前記表示装置に表示する情報としての自給率に対するスケールを設定する、
請求項１乃至５の何れか１項に記載の表示コントローラ。
【請求項７】
前記表示制御部は、前記表示装置に表示する情報の大きさが前記表示設定部により設定されるスケールを超えた値となる場合、前記情報を点滅表示させる、
請求項１乃至６の何れか１項に記載の表示コントローラ。
【請求項８】
パワーコンディショナ、表示コントローラ、発電装置および蓄電装置を有する蓄電システムにおいて、
前記蓄電システムが接続される系統に対する契約電力が設定された場合、設定された契約電力に応じて表示装置に表示する情報に対するスケールを設定する表示設定部と、
前記表示設定部により設定されたスケールで運転状況を示す情報を前記表示装置に表示する表示制御部と、
を有する蓄電システム。
【発明の詳細な説明】
【技術分野】
【０００１】
本発明の実施形態は、表示コントローラ、および、蓄電システムに関する。
【背景技術】
【０００２】
近年、太陽電池と蓄電池とが接続されたパワーコンディショナ（ＰＣＳ）を備えた蓄電システムがある。蓄電システムは、電力会社の系統に接続され、太陽電池が発電した電気又は系統から供給される電気を蓄電池に蓄積し、必要に応じて蓄電池から電気を負荷へ供給する。また、蓄電システムは、運転モードの変更や制御を行うとともに運転状況を利用者に報知するための表示コントローラを有する。従来、表示装置に売電量、買電量、発電量、消費電力量等をグラフで表示する管理装置が知られている。しかしながら、蓄電システムの表示コントローラが表示すべき電力量などは、利用環境によって大きさが異なるとともに、表示コントローラの限られたスペースに複数の情報を表示しようとすると情報が見にくくなることもある。
【先行技術文献】
【特許文献】
【０００３】
【特許文献１】特開２０１４−２１６１６号公報
【発明の概要】
【発明が解決しようとする課題】
【０００４】
本発明は、適正なスケールで見やすい情報を表示できる表示コントローラ、および、蓄電システムを提供することを目的とする。
【課題を解決するための手段】
【０００５】
実施形態によれば、表示コントローラは、蓄電システムの運転状況を表示装置に表示するものであって、表示設定部と表示制御部とを有する。前記表示設定部は、前記蓄電システムが接続される系統に対する契約電力が設定された場合、設定された契約電力に応じて前記表示装置に表示する情報に対するスケールを設定する。前記表示制御部は、前記表示設定部により設定されたスケールで運転状況を示す情報を前記表示装置に表示する。
【発明の効果】
【０００６】
本発明によれば、適正なスケールで見やすい情報を表示できる表示コントローラ、および、蓄電システムを提供できる。
【図面の簡単な説明】
【０００７】
【図１】図１は、実施形態に係る蓄電システムの構成例を示す図である。
【図２】図２は、実施形態に係る表示コントローラの制御系の構成例を示すブロック図である。
【図３】図３は、実施形態に係る表示コントローラが表示する運転状況を示す表示画面（履歴表示）の第１の表示例を示す図である。
【図４】図４は、実施形態に係る表示コントローラの記憶部が記憶する契約電力に対する電力使用量の想定値を示すデータテーブルの例である。
【図５】図５は、実施形態に係る表示コントローラが表示する契約電力の設定画面の例を示す図である。
【図６】図６は、実施形態に係る表示コントローラが表示する運転状況を示す表示画面（履歴表示）の第２の表示例を示す図である。
【図７】図７は、実施形態に係る表示コントローラが表示する運転状況を示す表示画面（履歴表示）の第３の表示例を示す図である。
【図８】図８は、実施形態に係る表示コントローラが表示する運転状況を示す表示画面（履歴表示）の第４の表示例を示す図である。
【図９】図９は、実施形態に係る表示コントローラによる契約電力の設定に応じた運転状況を示す表示画面の表示処理を説明するためのフローチャートである。
【図１０】図１０は、実施形態に係る表示コントローラによる表示設定処理を説明するためのフローチャートである。
【発明を実施するための形態】
【０００８】
以下で説明する実施形態に係る表示コントローラ（１２）は、蓄電システム（１）の運転状況を表示装置（２４）に表示するものであって、表示設定部（Ｓ１２）と表示制御部（Ｓ１４−Ｓ１６）とを有する。表示設定部（Ｓ１２）は、蓄電システムが接続される系統に対する契約電力が設定された場合、設定された契約電力に応じて表示装置に表示する情報に対するスケールを設定する。表示制御部（Ｓ１４−Ｓ１６）は、表示設定部（Ｓ１２）により設定されたスケールで運転状況を示す情報を表示装置（２４）に表示する。
【０００９】
また、以下に説明する実施形態に係る表示コントローラ（１２）は、さらに、記憶部（２３）と取得部（Ｓ２１）とを有する。記憶部（２３）は、契約電力と電力使用量との関係を示す情報を記憶する。取得部（Ｓ２１）は、蓄電システム（１）が接続される系統（１６）に対する契約電力が設定された場合、設定された契約電力に対応する電力使用量の想定値を記憶部（２３）が記憶する契約電力と電力使用量との関係を示す情報に基づいて取得する。表示設定部（Ｓ１２）は、取得部が取得する電力使用量の想定値に応じて表示装置（２４）に表示する情報に対するスケールを設定する。
【００１０】
また、以下に説明する実施形態に係る表示コントローラ（１２）の表示設定部（Ｓ１２）は、表示装置（２４）に表示する情報に対するスケールの上限値を設定する。
また、以下に説明する実施形態に係る表示コントローラ（１２）の表示設定部（Ｓ１２）は、表示装置（２４）に表示する情報に対するスケールの下限値を設定する。
【００１１】
また、以下に説明する実施形態に係る表示コントローラ（１２）の表示設定部（Ｓ１２）は、表示装置（２４）に表示する情報としての消費電力量に対するスケールを設定する。  
また、以下に説明する実施形態に係る表示コントローラ（１２）の表示設定部（Ｓ１２）は、表示装置（２４）に表示する情報としての自給率に対するスケールを設定する。  
また、以下に説明する実施形態に係る表示コントローラ（１２）の表示制御部（Ｓ１６）は、表示装置（２４）に表示する情報の大きさが表示設定部（Ｓ１２）により設定されるスケールを超えた値となる場合、前記情報を点滅表示させる。
【００１２】
また、以下に説明する実施形態に係る蓄電システム（１）は、コンディショナ（１１）、表示コントローラ（１２）、蓄電装置（１３）および発電装置（１４）を具備し、表示設定部（Ｓ１２）と表示制御部（Ｓ１４−Ｓ１６）とを有する。表示設定部（Ｓ１２）は、蓄電システム（１）が接続される系統（１６）に対する契約電力が設定された場合、設定された契約電力に応じて表示装置（２４）に表示する情報に対するスケールを設定する。表示制御部（Ｓ１４−Ｓ１６）は、表示設定部（Ｓ１２）により設定されたスケールで運転状況を示す情報を表示装置（２４）に表示する。
【００１３】
以下、実施形態について図面を参照して詳細に説明する。  
図１は、実施形態に係る蓄電システムを含むシステムの構成例を示す図である。  
図１に示す構成例において、蓄電システム１は、パワーコンディショナ（ＰＣＳ）１１、表示コントローラ（表示装置）１２、蓄電池１３および太陽電池モジュール１４を有するシステムである。蓄電システム１において、ＰＣＳ１１には、表示コントローラ１２、蓄電池１３および太陽電池モジュール１４が接続される。また、ＰＣＳ１１は、分電盤１５を介して系統（商用電源、系統電源）１６および負荷１７に接続される。
【００１４】
ＰＣＳ１１は、蓄電システム１における電力を制御する制御ユニットである。例えば、ＰＣＳ１１は、各種の動作モード或は動作指示に応じて、蓄電池１３に対する充放電を制御する。また、ＰＣＳ１１は、直流電力を交流電力に変換する変換回路を有し、太陽電池モジュール１４から供給される直流電力および蓄電池１３が放電する直流電力を交流電力に変換し、変換した交流電力を分電盤１５を介して負荷１７又は系統１６へ供給する。また、ＰＣＳ１１は、太陽電池モジュール１４からの電力又は分電盤１５を介して供給される電力を蓄電池１３へ供給して蓄電を制御する。
【００１５】
表示コントローラ１２は、当該システムにおける運転状況を表示装置に表示させるものである。表示コントローラ１２は、ＰＣＳ１１又は各計測器Ｍ１、Ｍ２、Ｍ３から各部における電力値などの情報を取得し、取得した情報に基づいて表示装置に表示させる表示内容を制御する。表示コントローラ１２は、表示装置に表示させる情報を制御できるものであれば良い。例えば、表示コントローラ１２は、表示パネル等の表示装置およびタッチパネル等の操作装置を有する情報端末であっても良いし、通信接続が可能な情報端末の表示部に情報を表示させるものであっても良い。
【００１６】
蓄電池１３は、電力を蓄積（蓄電）する蓄電装置である。図１に示す構成例において、蓄電池１３は、ＰＣＳ１１により充電及び放電が制御される。例えば、蓄電池１３は、放電の指示に応じて蓄電した電力をＰＣＳ１１へ供給する。また、蓄電池１３は、ＰＣＳ１１を介して供給される電力により充電される。
【００１７】
太陽電池モジュール１４は、蓄電システム１において電気を発電する発電装置である。太陽電池モジュール１４は、ソーラーパネル等によって集光された太陽光を電力に変換する太陽光発電システムである。太陽電池モジュール１４は、太陽光から発電した電力をＰＣＳ１１へ供給する。なお、蓄電システム１における発電装置は、太陽電池モジュール（太陽光発電装置）に限定されるものではなく、他の発電方式の発電装置であっても良い。
【００１８】
計測器Ｍ１、Ｍ２、Ｍ３は、それぞれ電力を計測するユニットである。  
計測器Ｍ１は、太陽電池モジュール１４からＰＣＳ１１へ供給される電力を計測する。計測器Ｍ１が計測する計測値は、太陽電池モジュール１４が発電する電力を示す。ＰＣＳ１１は、計測器Ｍ１の計測値を取得する機能を有する。表示コントローラ１２は、ＰＣＳ１１を介して計測器Ｍ１の計測値を取得する。ＰＣＳ１１又は表示コントローラ１２は、計測器Ｍ１が計測する計測値に基づいて太陽電池モジュール１４が発電する電力および発電量を特定する。なお、表示コントローラ１２は、計測器Ｍ１が計測する値を直接取得するようにしても良い。
【００１９】
計測器Ｍ２は、ＰＣＳ１１が分電盤１５へ出力する電力を計測する。ＰＣＳ１１は、計測器Ｍ２の計測値を取得する機能を有する。表示コントローラ１２は、ＰＣＳ１１を介して計測器Ｍ２の計測値を取得する。ＰＣＳ１１又は表示コントローラ１２は、計測器Ｍ２の計測値に基づいてＰＣＳ１１（蓄電システム１）から出力される電力および電力量を特定する。なお、表示コントローラ１２は、計測器Ｍ２が計測する値を直接取得するようにしても良い。
【００２０】
計測器Ｍ３は、系統１６から供給（買電）される電力又は系統１６へ出力（売電）される電力としての主幹電力（系統電力）を計測する。計測器Ｍ３は、系統１６から供給される電力をプラスの値で示し、系統１６へ出力される電力をマイナスの値で示す。すなわち、計測器Ｍ３が計測するプラスの値の電力は、系統１６からの買電電力を示し、計測器Ｍ３が計測するマイナスの値の電力は、系統１６への売電電力を示す。ＰＣＳ１１は、計測器Ｍ３が計測する計測値としての主幹電力（買電電力又は売電電力）を取得する機能を有する。表示コントローラ１２は、ＰＣＳ１１を介して計測器Ｍ３の計測値としての主幹電力を取得する。ＰＣＳ１１又は表示コントローラ１２は、計測器Ｍ３の計測値に基づいて買電電力、売電電力、買電電力量（売電量）又は売電電力量（売電量）を特定する。なお、表示コントローラ１２は、計測器Ｍ３が計測する値を直接取得するようにしても良い。
【００２１】
次に、実施形態に係る表示コントローラ１２の構成について説明する。  
図２は、実施形態に係る表示コントローラ１２の構成例を示す図である。  
表示コントローラ１２は、制御部２１、インターフェース（Ｉ／Ｆ）２２、記憶部２３、表示部（表示装置）２４および操作部２５を有する。  
制御部２１は、ＣＰＵ（Central Processing Unit）などのプロセッサ、ＲＡＭなどのワーキングメモリ、ＲＯＭなどのプログラムメモリ、及び各種内部インターフェースなどにより構成する。制御部２１は、プロセッサがプログラムを実行することにより各種の処理機能を実現する。例えば、制御部２１内において、プロセッサは、ワーキングメモリを用いてプログラムメモリ又は記憶部２３が記憶するプログラムを実行することにより各種の処理を実現する。
【００２２】
インターフェース２２は、各部における電力などの情報を取得する取得部として機能する。図２に示す構成例において、インターフェース２２は、ＰＣＳ１１との間で情報を送受信するためのインターフェースである。インターフェース２２は、例えば、ＰＣＳ１１から計測器Ｍ１、Ｍ２、Ｍ３の計測値などの情報を取得する。また、インターフェース２２は、計測器Ｍ１、Ｍ２、Ｍ３から計測値などの情報を取得するものであっても良い。
【００２３】
記憶部２３は、例えば、ＲＡＭ（Random  Access  Memory)、フラッシュメモリ（Flash  Memory）等の半導体メモリ素子、ハードディスク、または光ディスク等の記憶装置によって実現される。記憶部２３は、当該システムにおける電力に関する情報を記憶する。例えば、記憶部２３は、各種の単位（秒単位、分単位、時間単位、日単位、月単位、年単位など）ごとに、電力情報を記憶する。記憶部２３が記憶する電力情報は、太陽光発電システム１４が発電する電力を示す発電電力、負荷１７が消費する電力を示す消費電力、系統１６から購入する電力を示す買電電力、系統に売り渡す電力を示す売電電力などである。
【００２４】
表示部２４は、制御部２１によって表示内容が制御される表示装置である。表示部２４は、例えば、表示部２４は、ＬＣＤ（Liquid  Crystal  Display）、又は有機ＥＬディスプレイなどの表示装置により構成される。表示部２４は、制御部２１が無線通信などにより通信可能な表示装置であっても良い。
【００２５】
操作部２５は、ユーザの操作を受け付ける。操作部２５は、タッチパネル或はハードキーなどにより構成される。例えば、操作部２５は、表示部２４が表示画面上に設けたタッチパネルにより構成され、表示部２４が表示する各種の操作キーに対するユーザの指示を受け付けるものであっても良い。
【００２６】
なお、表示コントローラ１２は、無線通信又は有線通信を行うための通信部などを有しても良い。例えば、表示コントローラ１２は、通信部によりＨＥＭＳ（Home Energy Management System）に対応したホームゲートウエイ装置などとの間で通信を行うことによって、電力状況に関する情報等の情報を送受信するようにしても良い。
【００２７】
次に、表示コントローラ１２の制御部２１が実現する機能について説明する。  
制御部２１は、プロセッサがプログラムを実行することにより各種の処理機能を実現する。例えば、制御部２１は、オペレータの操作によって契約電力などを設定する機能（設定部）、契約電力に対応する電力使用量の想定値を取得する機能（取得部）、契約電力に対応する電力使用量の想定値に応じた表示設定を行う機能（表示設定部）、および表示設定に応じて表示部２４の表示を制御する機能（表示制御部）などを有する。
【００２８】
ただし、本実施形態において説明する制御部２１が実現する各機能は、表示コントローラ１２が実現する機能として限定されるものではなく、蓄電システム１における何れかの装置が実現するものであれば良い。例えば、制御部２１が実現する機能の一部又は全部は、ＰＣＳ１１又はＰＣＳ１１に接続した情報処理装置が実現しても良い。
【００２９】
制御部２１は、各計測器Ｍ１、Ｍ２、Ｍ３の計測値に基づいて、太陽電池モジュール１４の発電電力、系統１６からの買電電力、系統１６への売電電力、消費電力および自給率などを特定する。すなわち、制御部２１は、太陽電池モジュール１４の発電電力を計測器Ｍ１の計測値に基づいて特定する。また、制御部２１は、系統１６からの買電電力又は系統１６への売電電力を計測器Ｍ３の計測値に基づいて特定する。さらに、制御部２１は、各計測器Ｍ１、Ｍ２及びＭ３の計測値に基づいて、消費電力および自給率などの情報を算出する。
【００３０】
ここで、消費電力および自給率の算出方法について説明する。  
消費電力は、以下の式（１）により定義するものとする。  
消費電力＝ＰＣＳ１１（蓄電システム１）からの出力電力＋主幹電力…（１）
図１に示す構成において、ＰＣＳ１１からの出力電力は、蓄電システム１からの出力電力であり、計測器Ｍ２により計測される計測値である。また、図１に示す構成において、主幹電力（買電電力又は売電電力）は、計測器Ｍ３の計測値である。計測器Ｍ３の計測値は、プラスである場合には買電電力の大きさを示し、マイナスである場合には売電電力の大きさを示す。従って、制御部２１は、計測器Ｍ２の計測値と計測器Ｍ３の計測値とを加算した値を消費電力として算出する。
【００３１】
また、自給率は、以下の式（２）により定義するものとする。  
自給率＝発電電力／消費電力…（２）
図１に示す構成において、上記式（２）の発電電力は、太陽電池モジュール１４の発電電力であり、上記式（２）の消費電力は、上記式（１）で算出される値とする。制御部２１は、蓄電システム１の発電電力に対する自給率として、太陽電池モジュール１４の発電電力（計測器Ｍ１の計測値）／消費電力を算出する。式（１）で算出される消費電力は、売電があれば、発電電力よりも小さい値となる。このため、式（２）で算出される自給率は、売電がある場合には１００％を超える値となることがある。
【００３２】
次に、表示コントローラ１２が表示部２４に表示する運転状況を示す表示画面（履歴表示）の例について説明する。  
図３は、表示コントローラ１２が表示部２４に表示する第１の表示例を示す図である。図３は、運転状況を示す表示画面の例である。図３に示す第１の表示例は、発電量のグラフ、消費電力量のグラフ、及び自給率のグラフを並べて表示する推移グラフを履歴として表示するものである。
【００３３】
発電量のグラフは、太陽電池モジュール１４による発電の状況（履歴）を示す情報であって、１日分の発電電力を積算した電力量を棒グラフとして１週間分表示するグラフである。消費電力量のグラフは、上述した計算により算出される消費電力の状況（履歴）を示す情報であって、１日分の消費電力を積算した電力量を棒グラフとして１週間分表示するグラフである。自給率のグラフは、上述した計算により算出される自給率の状況（履歴）を示す情報であって、１日の自給率を棒グラフとして１週間分表示するグラフである。図３に示す第１の表示例では、各グラフが初期設定として設定されているスケールで表示されるものとする。
【００３４】
次に、系統１６に対する契約受電電力（契約電力）と電力使用量との関係について説明する。  
図４は、契約電力に対する電力使用量の想定値を示すデータテーブルの例である。  
電力会社等との契約電力（系統１６の契約電力）と電力使用量とには、相関関係があることが知られている。例えば、電力会社等との契約電力（系統１６の契約電力）が大きければ大きいほど電力使用量が大きくなる傾向がある。統計的に計算された結果としては、例えば、図４に示すような契約電力と電力使用量との相関関係がある。本実施形態に係る蓄電システム１においては、表示コントローラ１２の記憶部２３に図４に示すようなデータテーブルが記憶されるものとする。
【００３５】
図４に示すような情報を参照すれば、契約電力に応じた電力使用量を予測することが可能となる。さらに、電力使用量が予測できれば、その電力使用量から消費電力量の最大値が予測できる。本実施形態に係る蓄電システム１の表示コントローラ１２は、契約電力の設定値から電力使用量を予測し、電力使用量の予測に基づいて消費電力量の最大値を予測する。さらに、表示コントローラ１２は、予測した消費電力量の最大値に応じて各情報（例えば、消費電力量、自給率）のグラフにおける表示スケールを設定できる。
【００３６】
さらに、図４に示すデータテーブルの例では、太陽電池モジュール１４による発電量の想定値が記憶されている。太陽電池モジュール１４は、天候等の条件によって発電量が変動するが、太陽電池モジュール１４の性能および設置環境に応じて発電量を想定することができる。これにより、本実施形態に係る蓄電システム１では、太陽電池モジュール１の発電量として想定される値を設定することができるものとする。図４に示す例では、当該蓄電システム１の太陽電池モジュール１４において想定される発電量が記憶されている。太陽電池モジュール１４の発電量は自給率の算出に用いられる情報であるから、消費電力量の想定値と太陽電池モジュール１４の発電量の想定値とに基づいて自給率が予測できる。
【００３７】
本実施形態に係る蓄電システム１の表示コントローラ１２は、図４に示す情報を参照することにより、契約電力に応じた電力使用量の想定値に基づく消費電力量と太陽電池モジュール１４の発電量の想定値に基づいて自給率を予測する。さらに、表示コントローラ１２は、自給率の予測に基づいて自給率の最大値を推測し、自給率の最大値を想定した表示スケールを設定する。
【００３８】
次に、表示コントローラ１２における契約電力の設定について説明する。  
表示コントローラ１２は、オペレータの操作指示に応じて様々な情報を設定する。例えば、表示コントローラ１２は、設定可能な各情報に対して設定番号を割り振って記憶部２３に記憶しておくものとする。表示コントローラ１２は、オペレータが操作部２５で設定番号を指定すると、指定された設定番号に対応する情報に対する設定値を受け付けるようにする。
【００３９】
図５は、契約電力の設定画面の例を示す図である。  
ここでは、設定番号「１５」に契約電力が対応づけられているものとする。この場合、オペレータが設定番号「１５」を操作部２５により指定すると、表示コントローラ１２は、図５に示すような設定番号に対応する契約電力の設定画面を表示部２４に表示する。図５に示す設定画面を表示した状態において、表示コントローラ１２は、契約電力の設定値の入力を受け付ける。オペレータが操作部２５により「０６０００．００」を指示すると、表示コントローラ１２は、図５に示すように、指定された「０６０００．００」を表示部２４に表示し、契約電力（アンペア）を「０６０００．００」に設定する。ここで、契約電力「０６０００．００」は契約電力が６０アンペア［Ａ］であることを示すものとする。
【００４０】
なお、本実施形態に係る蓄電システムにおける契約電力の設定方法は、図５に示す設定画面によるものに限定されるものではない。本実施形態に係る蓄電システムは、オペレータの操作によって契約電力が設定できるものであれば、どのような設定方法であっても良い。
【００４１】
次に、契約電力に応じた表示設定による表示例について説明する。  
本実施形態に係る蓄電システム１は、上述したように、オペレータの操作によって契約電力が設定される。例えば、蓄電システム１の表示コントローラ１２は、契約電力が設定されると、契約電力と電力使用量とを関係を示すデータテーブルを参照して契約電力の設定値に対応する電力使用量の想定値を取得（予測）する。契約電力に対応する電力使用量の想定値を取得すると、表示コントローラ１２は、電力使用量の想定値に応じた表示画面を提供するための表示設定を行う。例えば、表示コントローラ１２は、契約電力の設定値に対応する電力使用量の想定値に応じて消費電力量或は自給率などのグラフを表示するためのスケールを変更する。
【００４２】
図６は、表示コントローラ１２が表示部２４に表示する運転状況を示す表示画面（履歴表示）の第２の表示例を示す図である。  
図６は、図３に示す第１の表示例に対して消費電力量（消費量）のグラフにおけるスケールを変更したものである。図３に示す第１の表示例では、消費量のスケールが０〜２０ｋｗｈであるのに対して、図６に示す第２の表示例では、消費量のグラフのスケールが０〜４０ｋｗｈに変更されている。図６に示す第２の表示例では、消費量のグラフにおいて、スケールの上限値を変更することで、２０ｋｗｈを超える消費量（例えば、図６中における消費量の４日前の棒グラフ）が表示できる。すなわち、初期設定値が図３に示すようなスケールに設定されている場合であっても、契約電力に対応してスケールを変更することにより、表示コントローラ１２は、初期設定値では表示できない２０〜４０ｋｗｈの消費量を表示できるようにすることができる。
【００４３】
図４に示すデータテーブルによれば、６０Ａの契約電力では、１日あたりの電力使用量の想定値が１７．８ｋｗｈとして設定されている。このような想定値では、１日あたりの実際の電力使用量が２０ｋｗｈを超える日があるのは十分に予測できる。例えば、１日あたりの電力使用量の想定値に対して倍の消費量を表示できるようにするとすれば、表示コントローラ１２は、契約電力が６０Ａに設定された場合には消費量のグラフのスケールを４０ｋｗｈまでとすることが考えられる。
【００４４】
図７は、表示コントローラ１２が表示部２４に表示する運転状況を示す表示画面（履歴表示）の第３の表示例を示す図である。  
図７は、図３に示す第１の表示例に対して消費量のグラフにおけるスケールを変更したものである。図７に示す第３の表示例では、消費量のグラフのスケールが１０〜３０ｋｗｈに設定されている。つまり、図７に示す第３の表示例では、図３に示すスケールに対して縦軸の上限値を変更するだけでなく、下限値も０から変更するものである。これにより、図７に示す第３の表示例では、消費量のグラフにおいて、２０±１０ｋｗｈを表示範囲に設定したスケールで消費量を表示できる。消費量が１０〜３０ｋｗｈで変動する場合には、図３に示す初期設定値のスケールを図７に示す第３の表示例のスケールに変更することにより、消費量の推移が視認し易くなると考えられる。
【００４５】
図４に示すデータテーブルによれば、６０Ａの契約電力では、１日あたりの電力使用量の想定値が１７．８ｋｗｈとして設定されている。このような想定値に対して±１０ｋｗｈの範囲で消費量が変動することが予測できる場合、表示コントローラ１２は、契約電力が６０Ａに設定されると、消費量のグラフのスケールを１０〜３０ｋｗｈとすることが考えられる。
【００４６】
上述した第２及び第３の表示例のように、契約電力に対応する電力使用量の想定値に応じてスケールをどのような上限値及び下限値に設定するかは、設定環境や運用形態などに応じて適宜決定されるものである。本実施形態に係る蓄電システム１の表示コントローラ１２は、契約電力に対応する電力使用量の想定値に応じてスケールを設定し、契約電力の設定値に応じたスケールで運転状況を示す画面（履歴表示）を表示するものとする。
【００４７】
図８は、表示コントローラ１２が表示部２４に表示する運転状況を示す表示画面（履歴表示）の第４の表示例を示す図である。  
図８は、図６に示す第２の表示例に対して、さらに自給率のグラフにおけるスケールを変更したものである。図８に示す第４の表示例では、自給率のグラフのスケールが０〜１２０％に設定されている。つまり、図３に示す初期設定値のスケールでは１００％までの自給率しか確認できないのに対して、図８に示す第４の表示例では、１２０％までの自給率を表示でき、自給率が１００％を超えた分も利用者に提示できるものとなる。
【００４８】
すなわち、蓄電システム１の表示コントローラ１２は、契約電力の設定に応じて表示スケールを変更する情報が消費量に限定されるものではなく、第４の表示例に示すように、自給率などの電力使用量が影響する各種の情報の表示スケールも変更できる。
【００４９】
上述した第４の表示例のように、契約電力の設定値に対してどの情報の表示スケールを変更するかも、設定環境や運用形態などに応じて適宜設定される。本実施形態に係る蓄電システム１の表示コントローラ１２は、契約電力に対応する電力使用量の想定値に応じて消費量のスケールの上限及び下限値と自給率のスケールの上限及び下限値とが設定できるものである。
【００５０】
次に、蓄電システム１における契約電力の設定に応じた運転状況を示す表示画面の表示処理について説明する。  
図９は、本実施形態に係る表示コントローラ１２による契約電力の設定に応じた運転状況を示す表示画面の表示処理を説明するためのフローチャートである。  
表示コントローラ１２の制御部２１は、操作部２５によるオペレータからの各種設定および履歴の表示指示などの操作指示を受け付ける。例えば、表示コントローラ１２の制御部２１は、図５に示すような設定画面において契約電力の設定値の入力を受け付ける。表示コントローラ１２の制御部２１は、入力された設定値での契約電力の確定（設定）が指示されると、契約電力を入力された設定値に設定する。
【００５１】
契約電力を設定した場合（Ｓ１１、ＹＥＳ）、制御部２１は、設定した契約電力に応じた表示設定処理を実行する（Ｓ１２）。制御部２１は、表示設定処理において、設定された契約電力に応じた表示設定を行う。本実施形態では、制御部２１は、表示設定処理において、契約電力に対応する電力使用量を予測（電力使用量の想定値を取得）し、予測した電力使用量に応じた各種の情報を表示するスケールを設定する。表示設定処理については、後で詳細に説明するものとする。
【００５２】
また、制御部２１は、操作部２５による運転状況の表示指示を受け付ける（Ｓ１３）。運転状況の表示指示がなければ（Ｓ１３、ＮＯ）、制御部２１は、Ｓ１１へ戻り、契約電力の設定などの各種の設定を受け付ける。
【００５３】
運転状況の表示指示を受けると（Ｓ１３、ＹＥＳ）、制御部２１は、表示設定処理により設定された表示内容で運転状況を示す表示画面（履歴）を表示する処理を実行する（Ｓ１４〜Ｓ１６）。運転状況を示す表示画面を表示する場合、制御部２１は、表示する各データを取得する（Ｓ１４）。例えば、運転状況を示す表示画面として図６乃至図８に示すような推移グラフを表示する場合、制御部２１は、１日単位での発電量、消費電力量（消費量）および自給率を１週間分取得する。
【００５４】
これらの情報は、表示コントローラ１２の制御部２１が記憶部２３に蓄積した計測器Ｍ１、Ｍ２、Ｍ３の計測値から算出するようにしても良い。  
また、発電量、消費電力量（消費量）および自給率などの情報は、ＰＣＳ１１が計測器Ｍ１、Ｍ２、Ｍ３の計測値から算出して記憶しておき、表示コントローラ１２の制御部２１は、インターフェース２２を介してＰＣＳ１１から発電量、消費電力量（消費量）および自給率等の情報を取得するようにしても良い。
【００５５】
運転状況を示す表示画面に表示するデータを取得すると、制御部２１は、表示設定に従ってスケールなどを設定した表示画面の表示データを生成する（Ｓ１５）。すなわち、制御部２１は、契約電力に対応する電力使用量の想定値に応じた表示設定のスケールで、各情報（発電量、消費量、及び、自給率）を表示するグラフを生成し、それらのグラフを並べた図６乃至図８に示すような推移グラフ（運転状況を示す表示画面）の表示データを生成する。
【００５６】
運転状況を示す表示画面の表示データを生成すると、制御部２１は、生成した表示データを表示部２４に表示する（Ｓ１６）。これにより、表示部２４には、表示設定処理により契約電力に応じて設定されたスケールで図６乃至図８に示すような推移グラフが表示される。  
また、スケールの上限を超える値となったために点滅表示する情報がある場合、制御部２１は、運転状況を示す表示画面を表示している間、スケールの上限を超えた値の情報を点滅表示させる。
【００５７】
以上のような表示処理では、蓄電システムの表示コントローラは、系統に対する契約電力が設定された場合、設定された契約電力に応じて表示部に表示する情報に対するスケールを設定し、設定された契約電力に応じたスケールで運転状況を示す情報を表示する。  
上述した表示処理によれば、蓄電システムの表示コントローラは、設定された契約電力に応じて最適化した適正なスケールで見やすい情報を利用者に提供できる。
また、パワーコンディショナ―で一元管理される情報を元に各種表示を行うことができる。
【００５８】
次に、蓄電システム１における契約電力に応じた表示設定処理について説明する。  
図１０は、表示コントローラ１２による契約電力の設定値に応じた表示設定処理の動作例を説明するためのフローチャートである。  
契約電力を設定した場合、表示コントローラ１２の制御部２１は、表示設定処理を実行する。制御部２１は、表示設定処理として、設定した契約電力に対応する電力使用量の想定値を取得（予測）する（Ｓ２１）。例えば、制御部２１は、記億部２３が記憶する図４に示すようなデータテーブルから契約電力に対応する電力使用量の想定値を取得（予測）する。
【００５９】
なお、電力使用量の想定値は、契約電力と電力使用量とを対応づけたデータテーブルから取得するのに限定されるものではなく、契約電力と電力使用量との関係を示す情報（例えば、両者の関係式など）に基づいて予測するようにしても良い。また、制御部２１は、通信可能な外部機器から契約電力に対応する電力使用量の想定値を取得するようにしても良い。
【００６０】
契約電力に対応する電力使用量を取得（予測）すると、制御部２１は、消費電力量を表示するスケール（消費電力量のグラフのスケール）を設定する（Ｓ２２、Ｓ２３）。  
消費電力量のスケールの設定として、制御部２１は、消費電力量のスケールの上限値を設定する（Ｓ２２）。制御部２１は、消費電力量のスケールの上限値を、電力使用量の想定値に対する所定の計算により算出する値に基づいて設定しても良いし、契約電力或は電力使用量に対応づけて予め設定されている設定値に基づいて設定しても良い。
【００６１】
前者の場合、制御部２１は、例えば、電力使用量の想定値から消費電力量の最大値を推定（算出）し、推定した消費電力量の最大値が表示できるスケールを上限値として設定するものとすれば良い。また、後者の場合、例えば、図４に示すようなデータテーブルにおいて各契約電力に対応づけて消費電力量のスケールの上限値を設定しておき、制御部２１は、データテーブルを参照して契約電力の設定値に応じた消費電力量のスケールの上限値を設定するものとすれば良い。
【００６２】
また、制御部２１は、消費電力量のスケールの下限値を設定する（Ｓ２３）。制御部２１は、消費電力量のスケールの下限値を、電力使用量の想定値に対する所定の計算によって算出する値に基づいて設定しても良いし、契約電力或は電力使用量に対応づけて予め設定されている設定値に基づいて設定しても良い。
【００６３】
前者の場合、制御部２１は、例えば、電力使用量の想定値から消費電力量の最小値を推定（算出）し、推定した消費電力量の最小値が表示できるスケールを下限値として設定するものとすれば良い。また、後者の場合、例えば、図４に示すようなデータテーブルにおいて各契約電力に対応づけて消費電力量のスケールの下限値を設定しておき、制御部２１は、データテーブルを参照して契約電力の設定値に応じた消費電力量のスケールの下限値を設定するものとすれば良い。
【００６４】
消費電力量のスケールを設定すると、制御部２１は、太陽電池モジュール１４の発電量の想定値を取得する（Ｓ２４）。例えば、制御部２１は、太陽電池モジュール１４の発電量の想定値は、図４に示すように記憶部２３に記憶されているものとする。この場合、制御部２１は、記億部２３を読み取ることにより発電量の想定値を取得する。  
発電量の想定値を取得すると、制御部２１は、自給率の想定値を算出する（Ｓ２５）。自給率の想定値を算出すると、制御部２１は、自給率を表示するスケール（自給率のグラフのスケール）を設定する（Ｓ２６、Ｓ２７）。
【００６５】
自給率のスケールの設定として、制御部２１は、自給率のスケールの上限値を設定する（Ｓ２６）。制御部２１は、自給率の想定値に対する所定の計算により算出する値に基づいてスケールの上限値を設定しても良いし、契約電力或は電力使用量に対応づけて予め設定されている設定値に基づいてスケールの上限値を設定しても良い。
【００６６】
前者の場合、制御部２１は、例えば、自給率の想定値から消費電力量の最大値を推定（算出）し、推定した自給率の最大値が表示できるスケールを上限値として設定するものとすれば良い。また、後者の場合、例えば、図４に示すようなデータテーブルにおいて各契約電力に対応づけて自給率のスケールの上限値を設定しておき、制御部２１は、データテーブルを参照して契約電力の設定値に応じた自給率のスケールの上限値を設定するものとすれば良い。
【００６７】
また、自給率のスケールの設定として、制御部２１は、自給率のスケールの下限値を設定する（Ｓ２３）。制御部２１は、自給率のスケールの下限値を、自給率の想定値に対する所定の計算によって算出した値に基づいて設定しても良いし、契約電力或は電力使用量に対応づけて予め設定されている下限値の設定値に基づいて設定しても良い。
【００６８】
前者の場合、制御部２１は、例えば、自給率の想定値から自給率の最小値を推定（算出）し、推定した自給率の最小値が表示できるスケールを下限値として設定するものとすれば良い。また、後者の場合、例えば、図４に示すようなデータテーブルにおいて各契約電力に対応づけて自給率のスケールの下限値を設定しておき、制御部２１は、データテーブルを参照して契約電力の設定値に応じた自給率のスケールの下限値を設定するものとすれば良い。
【００６９】
以上のような表示設定処理では、蓄電システムの表示コントローラは、系統に対する契約電力が設定された場合、設定された契約電力に対応する電力使用量の想定値を契約電力と電力使用量との関係を示す情報に基づいて取得し、取得した電力使用量の想定値に応じて表示部に表示する消費電力量および自給率に対するスケールを設定する。さらに、表示設定処理では、表示コントローラは、スケールの設定として、契約電力に対応する電力使用量の想定値に応じてスケールの上限値および下限値を設定する。
【００７０】
上記のような表示設定処理によれば、契約電力に応じて最適化したスケールで消費電力量及び自給率などの情報を表示することができ、固定のスケールで表示される画面よりも明確で分かり易い表示設定での履歴表示などを提供できる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…蓄電システム、１１…パワーコンディショナ、１２…表示コントローラ、１３…蓄電池（蓄電装置）、１４…太陽電池モジュール（発電装置）、１６…系統（商用電源、系統電源）、１７…負荷、２１…制御部、２２…インターフェース、２３…記憶部、２４…表示部、２５…操作部、Ｍ１、Ｍ２、Ｍ３…計測器。
【図１】
2017175679.tif 000003
【図２】
2017175679.tif 000004
【図３】
2017175679.tif 000005
【図４】
2017175679.tif 000006
【図５】
2017175679.tif 000007
【図６】
2017175679.tif 000008
【図７】
2017175679.tif 000009
【図８】
2017175679.tif 000010
【図９】
2017175679.tif 000011
【図１０】
2017175679.tif 000012